(57)【特許請求の範囲】
【請求項１】
商品に設けられた商品固有のコードを取得するコード情報取得部と、オペレータに対して商品情報を表示すると共に各商品固有の商品コード用ボタンが割り付け表示されるオペレータ用表示器と、前記オペレータ用表示器に割り付け表示される商品固有の前記商品コード用ボタンの割り付け位置をオペレータ毎に設定されるオペレータ別の第１の条件及び前記オペレータ毎に選択的に前記第１の条件から独立して設定される第２の条件を一時記憶するオペレータ別表示条件一時保管部と、を有する商品販売データ処理端末と、
商品の情報を保管管理する商品情報管理部と、商品の売上データを管理する売上データ管理部と、前記オペレータ用表示器に割り付け表示される商品を前記売上データ管理部より抽出する条件を記憶する表示条件保管部と、前記第１の条件及び前記第２の条件が設定されるオペレータ別表示条件管理部と、を有するサーバと、
を有する商品販売データ処理システム。
【請求項２】
前記第２の条件は、割り付けられる商品コード用ボタンの色またはボタンの数またはボタンの形状である請求項１記載の商品販売データ処理システム。
【請求項３】
前記第２の条件は、同一ボタンが複数の位置に表示されることを特徴とする請求項１に記載の商品販売データ処理システム。
【請求項４】
商品に設けられた商品固有のコードを取得するコード情報取得部と、
オペレータに対して商品情報を表示すると共に各商品固有の商品コード用ボタンが割り付け表示されるオペレータ用表示器と、
前記オペレータ用表示器に割り付け表示される商品固有の前記商品コード用ボタンの割り付け位置をオペレータ毎に設定されるオペレータ別の第１の条件及び前記オペレータ毎に選択的に前記第１の条件から独立して設定される第２の条件を一時記憶するオペレータ別表示条件一時保管部と、
を有する商品販売データ処理端末。
【請求項５】
前記商品販売データ処理システムは第２のオペレータ用表示器をさらに有する請求項１に記載の商品販売データ処理システム。
【請求項６】
前記商品固有の商品コード用ボタンは、前記オペレータ用表示器もしくは前記第２のオペレータ用表示器の少なくとも一方に割り付けられる請求項５に記載の商品販売データ処理システム。
【発明の詳細な説明】
【技術分野】
【０００１】
本発明の実施形態は、商品を販売する際に使用する商品販売データ処理システムおよび商品販売データ処理端末に関する。
【背景技術】
【０００２】
商品を購入した際、商品販売データ処理装置であるＰＯＳ端末（ＰＯＩＮＴ  ＯＦ  ＳＡＬＥＳ）と呼ばれる商品決済端末にて精算をおこなう。精算する商品には予めバーコード等が設けられており、このバーコードをバーコードスキャナにてスキャンすることで商品の金額を含む商品情報を取得する。しかしながら野菜、果物等バーコードを予め商品に貼り付けるのが難しい商品も存在する。その様な場合は、ＰＯＳ端末を使用するオペレータが用いる表示用画面に予め前記のバーコードの貼り付けが難しい商品をボタンとして割り付けておくことで、バーコードをスキャンしなくともこのボタンを押下することで商品の情報を取得していた。しかしながら割り付けられた商品数は多く、前記表示用画面に割り付けられた商品の画面上の位置を覚えるのは難であり、対象商品を探すのに時間がかかってしまい精算に時間がかかってしまっていた。また季節や日時で商品の種類が変わる場合もあり、それに伴って表示用画面に割り付けられた商品の位置も変わり再び割り付けの位置を覚えなおす事はオペレータの負担となっていた。この為商品の売上データを参照し、売り上げが多い順に表示用画面に割り付ける事も知られている。しかしながら数多くのオペレータがおり、オペレータによっては割り付け位置が他の人の割り付け位置と異なる方が早い精算やミスの低減となる場合もある。
【先行技術文献】
【特許文献】
【０００３】
【特許文献１】特開平８−７１７６号公報
【発明の概要】
【発明が解決しようとする課題】
【０００４】
本発明は、商品情報の取得を高速に出来る商品販売データ処理システムおよび商品販売データ処理端末を提供する。
【課題を解決するための手段】
【０００５】
商品販売データ処理システムは、商品に設けられた商品固有のコードを取得するコード情報取得部と、オペレータに対して商品情報を表示すると共に各商品固有の商品コード用ボタンが割り付け表示されるオペレータ用表示器と、前記オペレータ用表示器に割り付け表示される商品固有の前記商品コード用ボタンの割り付け位置をオペレータ毎に設定されるオペレータ別の第１の条件及び前記オペレータ毎に選択的に前記第１の条件から独立して設定される第２の条件を一時記憶するオペレータ別表示条件一時保管部と、を有する商品販売データ処理端末と、商品の情報を保管管理する商品情報管理部と、商品の売上データを管理する売上データ管理部と、前記オペレータ用表示器に割り付け表示される商品を前記売上データ管理部より抽出する条件を記憶する表示条件保管部と、前記第１の条件及び前記第２の条件が設定されるオペレータ別表示条件管理部と、を有するサーバと、を有する。
【図面の簡単な説明】
【０００６】
【図１】第１の実施形態に係るシステム構成例を示す図である。
【図２】第１の実施形態に係るＰＯＳ端末の外観図である。
【図３】第１の実施形態に係るＰＯＳ端末の制御回路構成ブロック図である。
【図４】第１の実施形態に係るサーバのブロック図である。
【図５】第１の実施形態に係る、オペレータ別表示条件部の保管データ例である。
【図６】第１の実施形態に係る、オペレータ確認から精算終了までの処理流れ図である。
【図７】第１の実施形態に係る、オペレータ用表示器へのボタン割り付け例である。
【図８】第１の実施形態に係る、オペレータ用表示器へのボタン割り付け例である。
【図９】第１の実施形態に係る、オペレータ用表示器へのボタン割り付け例である。
【図１０】第２の実施形態に係る、オペレータ確認から精算終了までの処理流れ図である。
【図１１】第２の実施形態に係る、オペレータ別表示条件部の保管データ例である。
【図１２】第２の実施形態に係る、オペレータ用表示器へのボタン割り付け例である。
【図１３】第２の実施形態に係る、オペレータ用表示器へのボタン割り付け例である。
【図１４】第２の実施形態に係る、オペレータ用表示器へのボタン割り付け例である。
【図１５】第２の実施形態に係る、オペレータ用表示器へのボタン割り付け例である。
【図１６】第３の実施形態に係るシステム構成例を示す図である。
【発明を実施するための形態】
【０００７】
以下に本発明の実施形態にかかる商品販売データ処理システムを図面を参照して詳細に説明する。
【０００８】
（第１の実施形態）
この商品販売データ処理システム１００は、図１に示すように、商品の各種情報等を管理しているサーバ２０と、このサーバ２０にネットワークで接続されている商品販売データ処理端末であるＰＯＳ端末１０とからなる。なお本実施の形態においてはサーバ２０に接続されているＰＯＳ端末１０は３台となっているがこれに限定する必要はなく、接続ＰＯＳ端末は２台以下もしくは４台以上であっても何ら問題ない。
【０００９】
図２に、ＰＯＳ端末１０の外観図を示す。
【００１０】
ＰＯＳ端末１０は、ドロワ１１と、キーボード１２と、オペレータ用表示器１３と、プリンタ１４と、客用表示器１５と、バーコードスキャナ１６とが設けられている。ドロワ１１は、紙幣や硬貨を保管する。キーボード１２は、商品情報やオペレータ情報を入力する際に用いられる。オペレータ用表示器１３は、オペレータに伝える各種情報を表示したり、バーコードの貼り付けが出来ない商品のボタンが割り付けられる。プリンタ１４は、精算後のレシートを出力する。客用表示器１５は、顧客に対して各種情報を表示する。バーコードスキャナ１６は、商品に印刷もしくは貼付されているバーコードを読み取る。
【００１１】
図３に、本実施形態に係るＰＯＳ端末１０の制御回路構成を説明するブロック図を示す。この制御部５１は、ドロワ１１の開閉、キーボード１２による入力情報の受付、オペレータ用表示器１３への各種情報の表示や入力情報の受付、プリンタ１４への出力ならびにレシート等の発行、客用表示器１５への各種情報の表示、バーコードスキャナ１６による情報の取得の各制御をおこなう。
【００１２】
制御部５１は、サーバ２０との連係および各種の制御の実行をおこなう、例えば、マイクロコンピュータで構成されている。制御部５１の中央処理装置（ＣＰＵ）５２は、プログラムに従って、ドロワ１１の開閉、キーボード１２による入力情報の受付、オペレータ用表示器１３への各種情報の表示および入力情報の受付、プリンタ１４への出力ならびにレシート等の発行、客用表示器１５への各種情報の表示、バーコードスキャナ１６による情報の取得の制御や演算をおこなう。
【００１３】
またこのＣＰＵ５２は、時間設定および時間制御をおこなう手段としてタイマ５３を備えている。
【００１４】
制御部５１には、ＣＰＵ５２で実行する制御プログラムや制御または演算途上のデータ等を格納する主記憶手段としてＲＯＭ５４およびＲＡＭ５５が設置されている。
【００１５】
ＲＯＭ５４は制御プログラムやテーブル等を持つ読出し専用メモリであり、ＲＡＭ５５は演算途上のデータ等を格納する随時書込みメモリである。またＲＯＭ５４は、購入金額算出部７１を、ＲＡＭ５５は商品情報一時保管部７２、オペレータ別表示条件一時保管部７３をそれぞれ有している。
【００１６】
制御部５１には、サーバ２０との各種データのやり取りをおこなう入出力ユニット（Ｉ／Ｏ）５６が設けられている。このＩ／Ｏ５６は、ＣＰＵ５２、ＲＯＭ５４およびＲＡＭ５５とバスを通じて接続されている。
【００１７】
Ｉ／Ｏ５６には制御出力を取り出すための手段として、第１、第２、第３、第４、第５および第６のドライバ５７、５８、５９、６０、６１、６２が接続されている。
【００１８】
第１のドライバ５７はドロワ１１へ必要な駆動出力を供給する。第２のドライバ５８はキーボード１２へ必要な駆動出力を供給する。第３のドライバ５９はオペレータ用表示器１３に各種表示をおこなわせる表示駆動出力を供給したり必要な駆動出力を供給する。第４のドライバ６０はプリンタ１４への駆動出力を供給する。第５のドライバ６１は客用表示器１５に各種表示をおこなわせる表示駆動出力を供給する。第６のドライバ６２はバーコードスキャナ１６への駆動出力を供給する。
【００１９】
制御部５１のＣＰＵ５２は、ドライバ５７を介して、ドロワ１１の開放駆動、閉止確認等をおこなう。
【００２０】
制御部５１のＣＰＵ５２は、ドライバ５８を介して、キーボード１２より入力された情報を受け取る。
【００２１】
制御部５１のＣＰＵ５２は、ドライバ５９を介して、オペレータ用表示器１３に、精算情報、ＰＯＳ端末１０の各種情報を表示したり入力された情報を受け取る。
【００２２】
制御部５１のＣＰＵ５２は、ドライバ６０を介して、プリンタ１４にて、商品名、金額等の精算情報を印字し、用紙を切断してレシートとして発行する。
【００２３】
制御部５１のＣＰＵ５２は、ドライバ６１を介して、客用表示器１５に、精算情報等を表示する。
【００２４】
制御部５１のＣＰＵ５２は、ドライバ６２を介して、バーコードスキャナ１６がスキャンした情報を受け取る。
【００２５】
図４に、本実施形態に係るサーバ２０の構成を説明するブロック図を示す。
【００２６】
サーバ２０は、データ送受信部２１と、商品情報管理部２２と、売上データ管理部２３と、表示条件保管部２４が設けられている。データ送受信部２１は、外部とのデータのやり取りをおこなう。商品情報管理部２２は、店舗にて扱っている商品名や商品の金額等を保管管理している。売上データ管理部２３は、売り上げの全データを管理する。表示条件保管部２４は、前記売上データ管理部２３のデータより抽出する条件が保管されており、この条件にて抽出されたものがオペレータ用表示器１３に割り付け表示される。
【００２７】
この表示条件保管部２４にはオペレータ用表示器１３に割り付けるボタンの商品を売上データ管理部２３より抽出するための条件が保管されている。例えば当日朝１０時より１２時までに売り上げた総数が多い順に上位１０商品を抽出する／本日の特売品において朝９時より１０時までに売り上げた総数が多い順に上位１０商品を抽出する等であり、これらの抽出条件は店舗側にて任意に設定可能となっている。またサーバ２０にはオペレータ別表示条件管理部２５が設けられている。このオペレータ別表示条件管理部２５には、どのような表示条件で表示条件保管部２４の条件にて抽出された商品をオペレータ表示器１３に割り付けるかが保管されており、図５にオペレータ別表示条件管理部２５に保管の表示条件の一例を示す。
【００２８】
以下に、本システムによる商品販売方法を図６を用いて説明する。なお本実施の形態においては、表示条件保管部２４に保管の条件には本日の特売品において朝９時より１０時までに売り上げた総数が多い順に上位１０商品を抽出するとの条件が記憶されており、これによって抽出された商品は商品Ａ、商品Ｂ、・・・商品Ｊであるとする。（商品Ａが売上第１位・・・商品Ｊが売上第１０位として以下説明を行なう）
オペレータは商品の精算処理をおこなうにあたり、まずＰＯＳ端末１０にてオペレータ確認を行なう（Ｓ１）。なおこの確認であるが、オペレータが保有している、個人確認の為の従業員証に設けられている従業員コード用のバーコードをバーコードスキャナ１６にてスキャンする、キーボード１２にて個人確認の為に設定されている従業員コードを入力する等個人確認が出来る方法であればいかなる方法でも良い。
【００２９】
制御部５１は取得した従業員コードをオペレータ別表示条件管理部２５に送り、オペレータ別表示条件管理部２５に今般確認した従業員専用の表示条件が登録されているかを確認する（Ｓ２）。
【００３０】
オペレータ別表示条件管理部２５にオペレータ専用としての条件登録がない（Ｓ２のＮ）場合は、図５における従業員コード未登録者の表示条件に保管された条件での表示である基本表示のボタンの位置・サイズ情報をオペレータ別表示条件一時保管部７３に記憶（Ｓ３）し、その条件にてオペレータ用表示器１３の画面にボタンを割り付け表示する（Ｓ４）。この場合のオペレータ用表示器１３の画面のボタン割り付け表示は図７に示す様になる。
【００３１】
オペレータ別表示条件管理部２５にオペレータ専用としての条件登録がある（Ｓ２のＹ）場合は、オペレータ別表示条件管理部２５に保管された条件のボタンの位置・サイズ情報をオペレータ別表示条件一時保管部７３に記憶（Ｓ５）する。そして、その条件にてオペレータ用表示器１３の画面にボタンを割り付け表示する（Ｓ６）。例えば今般オペレータ確認を行なったのはＸさんであるとした場合、オペレータ用表示器１３の画面のボタン割り付け表示は図８に示す様になる。今般オペレータ確認を行なったのはＹさんであるとした場合、オペレータ用表示器１３の画面のボタン割り付け表示は図９に示す様になる。
【００３２】
この様にオペレータ確認をおこない、オペレータ用表示器１３の画面にオペレータ向けのボタンを割り付けをおこないその後精算処理をおこなう。
【００３３】
顧客は、販売店の精算場所であるＰＯＳ端末１０が設置してある場所に購入希望商品を持参する。
【００３４】
オペレータはＰＯＳ端末１０に接続されているバーコードスキャナ１６によって購入希望物品に設けられているバーコード等のコード情報をスキャンもしくはオペレータ用表示器１３の画面に割り付けられている、商品を特定するボタンを押下し、固有商品コードを入手する（Ｓ７）。次にその固有商品データをサーバ２０に設けられている商品情報管理部２２に送信する。
【００３５】
商品情報管理部２２は送信されてきた固有商品コードに該当する商品別情報を抽出し（Ｓ８）、商品情報一時保管部７２に記憶する（Ｓ９）。
【００３６】
ここで複数の商品を購入する場合は次の商品のスキャンもしくはオペレータ用表示器１３の画面に割り付けられている、商品を特定するボタンの押下を行なう（Ｓ１０）。次の商品のスキャンもしくはオペレータ用表示器１３の画面に割り付けられている、商品を特定するボタンの押下が存在する場合（Ｓ１０のＹ）、再度次の商品のスキャンもしくはオペレータ用表示器１３の画面に割り付けられている、商品を特定するボタンの押下（Ｓ７）、商品情報抽出（Ｓ８）、商品情報一時保管（Ｓ９）を繰り返す。
【００３７】
顧客がレジに持参した購入希望物品全ての商品に対するスキャンもしくはオペレータ用表示器１３の画面に割り付けられている、商品を特定するボタンの押下が完了すると、次のスキャンもしくはオペレータ用表示器１３の画面に割り付けられている、商品を特定するボタンの押下の対象商品は存在しない（Ｓ１０のＮ）。ここでオペレータはキーボード１２に設けられている図示しない精算実行ボタンを押下する（Ｓ１１）。
【００３８】
精算実行ボタンを押下する（Ｓ１１）と、購入金額算出部７１は商品情報一時保管部７２に保管された商品データに含まれている金額情報から購入金額を算出（Ｓ１２）し、顧客より代金を受領し精算を完了させる（Ｓ１３）。そして精算が完了した時点で、商品情報一時保管部７２に保管されているデータを売上データ管理部２３に送る（Ｓ１４）。売上データ管理部２３は送られてきたデータを売上データ管理部２３に上書し、最新の売り上げ情報に更新（Ｓ１５）し、ＰＯＳ端末１０での精算処理を終了させる（Ｓ１６）。
【００３９】
なお同じオペレータが長時間ＰＯＳ端末１０を使用することで、最新の売上データに則ったオペレータ用表示器１３の画面への割り付けボタンの表示がおこなわれない事もある。その様な場合は一定時間毎にオペレータ確認をさせる事で、最新の売上データを対象に表示条件保管部２４の条件で抽出された商品がオペレータ用表示器１３の画面へ割り付けボタン表示される。
【００４０】
以上の様に本実施の形態における商品販売データ処理システムは、売上データに則ってオペレータ用表示器１３の画面のボタンに割り付ける商品を抽出し、その位置をオペレータ個人の好みに合わせてオペレータ用表示器１３の画面に割り付ける。これによりオペレータがオペレータ用表示器１３の画面をより押下しやすくなる。例えば前述の様に一番押す頻度が多いと予想される商品Ａのボタンが画面の右下に設けられた方が押しやすいＸさんにとって、商品Ａのボタンが上段の左側に設けられた基本表示よりも押し間違いが減るとともに精算時間の短縮にもつながる。
【００４１】
（第２の実施形態）
以下図１０乃至図１５を用いて第２の実施形態を説明する。なお第１の実施の形態と同じ構成部分においては同一符号を付し、その詳細な説明を省略する。
【００４２】
第２の実施形態は、表示条件保管部２４にて抽出された対象商品の品目は変更せず、オペレータ別表示条件管理部２５に保管される表示条件に、更に第２の表示条件を加えて表示内容を変更するものである。なお第２の実施の形態においても、表示条件保管部２４に保管の条件には本日の特売品において朝９時より１０時までに売り上げた総数が多い順に上位１０商品を抽出するとの条件が記憶されており、これによって抽出された商品は商品Ａ、商品Ｂ、・・・商品Ｊであるとして説明する。
【００４３】
オペレータは商品の精算処理をおこなうにあたり、まずＰＯＳ端末１０にてオペレータ確認を行なう（Ｓ２１）。
【００４４】
制御部５１は取得した従業員コードをオペレータ別表示条件管理部２５に送り、オペレータ別表示条件管理部２５に今般確認した従業員専用の表示条件が登録されているかを確認する（Ｓ２２）。
【００４５】
オペレータ別表示条件管理部２５にオペレータ専用としての条件登録がない（Ｓ２２のＮ）場合は、図５における従業員コード未登録者の表示条件に保管された条件での表示である基本表示のボタンの位置・サイズ情報をオペレータ別表示条件一時保管部７３に記憶（Ｓ２３）し、その条件にてオペレータ用表示器１３の画面にボタンを割り付け表示する（Ｓ２４）。この場合のオペレータ用表示器１３の画面のボタン割り付け表示は図７に示す様になる。
【００４６】
オペレータ別表示条件管理部２５にオペレータ専用としての条件登録がある（Ｓ２２のＹ）場合は、次に表示条件２がオペレータ別表示条件管理部２５に保管されているかを確認する（Ｓ２５）。
【００４７】
図１１にオペレータ別表示条件管理部２５に保管されている表示条件の一例を示す。この一例ではＹさんは表示条件１は保管されているものの、表示条件２は保管されておらず、ＰさんとＱさんは表示条件１、表示条件２いずれも保管がされているものとする。
【００４８】
オペレータ別表示条件管理部２５に保管されているかを確認（Ｓ２５）し、条件２の保管がない（Ｓ２５のＮ）と判断した場合、オペレータ別表示条件管理部２５の条件１に記載した条件のボタンの位置・サイズ情報をオペレータ別表示条件一時保管部７３に記憶（Ｓ２６）し、その条件にてオペレータ用表示器１３の画面にボタンを割り付け表示する（Ｓ２７）。例えば今般オペレータ確認を行なったのはＹさんであるとした場合、オペレータ用表示器１３の画面のボタン割り付け表示は図９に示す様になる。
【００４９】
オペレータ別表示条件管理部２５に保管されているかを確認（Ｓ２５）し、条件２の保管が有る（Ｓ２５のＹ）と判断した場合、オペレータ別表示条件管理部２５の条件１および条件２に記載した条件のボタンの位置・サイズ情報をオペレータ別表示条件一時保管部７３に記憶（Ｓ２８）し、その条件にてオペレータ用表示器１３の画面にボタンを割り付け表示する（Ｓ２９）。例えば今般オペレータ確認を行なったのはＰさんであるとした場合、オペレータ用表示器１３の画面のボタン割り付け表示は図１２に示す様に、商品Ａ、商品Ｂおよび商品Ｃの割り付けボタンが、商品Ｄ以降の割り付けボタンよりサイズが大きく表示される。また今般オペレータ確認を行なったのはＱさんであるとした場合、オペレータ用表示器１３の画面のボタン割り付け表示は図１３に示す様に商品Ａ、商品Ｂおよび商品Ｃの割り付けボタンの色が赤色等目立つ色にて表示がされている。
【００５０】
この様にオペレータ確認をおこない、オペレータ用表示器１３の画面にオペレータ向けのボタンを割り付けをおこないその後は商品のスキャン（Ｓ７）をおこなう。なお商品のスキャン（Ｓ７）以降の処理に関しては第１の実施の形態にて説明をおこなった内容と同一である為その説明は省略する。
【００５１】
この様に、オペレータ別表示条件管理部２５の条件１に加え条件２も追加する事により、オペレータがオペレータ用表示器１３の画面をより押下しやすくなる。これにより押し間違いが減るとともに精算時間の短縮にもつながる。またオペレータ別表示条件管理部２５の条件１に加え条件２を別々に設ける事で以下の利点も存在する。
【００５２】
オペレータ別表示条件管理部２５の条件１に関しては抽出された商品におけるボタンの位置、サイズを決定するものであり、この条件による画面表示は容易に作成することが可能である。しかしながらオペレータ別表示条件管理部２５の条件２に関してはその表示を作成するには条件１での表示を作成するのに対して時間がかかる。したがって短時間のみ勤務するオペレータにまでオペレータ別表示条件管理部２５の条件２にて表示をさせるには店側の準備等の負担が大きい。しかしながらオペレータ別表示条件管理部２５の条件２にて表示をした方がより押し間違いが減るとともに精算時間の短縮にもつながる。このため、長時間等勤務するオペレータにのみオペレータ別表示条件管理部２５の条件２を設定することで、店側の負担は発生しても押し間違いが減るとともに精算時間の短縮にもつながるといった事が期待できる。
【００５３】
またオペレータ別表示条件管理部２５の条件２であるが、サイズを変更する、色を変更する以外の条件を設定することも可能である。例えば図１４に示すように商品Ａの割り付けボタンを増やす、図１５に示すように商品Ａおよび商品Ｄのみ、より商品の形状に近い形状、たとえば商品Ａおよび商品Ｂが球形の商品であった場合は割り付けの表示を球形に近い円にしたりする事も可能であり、より押し間違いが減るとともに精算時間の短縮にもつながる。
【００５４】
（第３の実施形態）
以下図１６を用いて第３の実施形態を説明する。なお第１および第２の実施形態と同じ構成部分においては同一符号を付し、その詳細な説明を省略する。
【００５５】
第３の実施形態は、商品を精算する際に用いる商品販売データ処理システムであって、商品データ処理端末であるＰＯＳ端末に加え商品読取装置を備えたチェックアウトシステムを用いている。
【００５６】
チェックアウトシステム１５０は、商品に印刷もしくは貼付されている商品コードより商品の情報を取得する商品読取装置８０とＰＯＳ端末１０とを備える。
【００５７】
ＰＯＳ端末１０は、チェックアウト台８１の上に載置されており、またチェックアウト台８１とＬ字を形成するようにして、横長テーブル上のカウンタ台８２が配置されている。カウンタ台８２の上面には、荷受面８３が形成されている。またカウンタ台８２の荷受面８３には、ＰＯＳ端末１０とデータ送受信可能に接続された商品読取装置８０が設置されている。商品読取装置８０は、薄型矩形形状のハウジング８４を備える。ハウジング８４の正面には読取窓８５が配置されている。ハウジング８４の上部には、表示操作部８６が取り付けられている。表示操作部８６の上部には、タッチパネルが表面に積層されたオペレータ用表示器８７が設けられており、またこのオペレータ用表示器８７の右隣にはキーボード８８が設けられている。
【００５８】
以下本チェックアウトシステム１５０を用いての精算方法を説明する。
【００５９】
オペレータは通常、商品読取装置８０の表示操作部８６が視認できる位置にいる。なおその際前述同様オペレータ確認をおこなう。このオペレータ確認は、従来同様ＰＯＳ端末１０を用いても良い。また読取窓８５にて従業員コード用のバーコードをスキャンしたり、キーボード８８にて従業員コードを入力しても良い。このオペレータ確認により第１および第２の実施形態同様、オペレータ用表示器８７にオペレータ別表示条件に則った商品コード用ボタンを割り付ける。
【００６０】
商品購入顧客は購入希望商品をカゴ等に入れ、図１６におけるハウジング８４の右側の荷受面８３に置く。オペレータはハウジング８４の右側の荷受面８３からハウジング８４の左側の荷受面８３に移動させる過程において読取窓８５にて商品に印刷もしくは貼付けられているバーコードをスキャンしたり、オペレータ用表示器８７に割り付けられたボタンを押下することで商品を確定する。以下の精算方法についてはこのスキャンの過程において、第１および第２の実施形態同じである為その説明は省略する。
【００６１】
この様に売上データに則ってＰＯＳ端末１０に設けられているオペレータ用表示器１３と商品読取装置８０のオペレータ用表示器８７に割り付ける商品を抽出し、その位置をオペレータ個人の好みに合わせてオペレータ用表示器１３の画面に割り付ける。これによりオペレータがオペレータ用表示器１３の画面をより押下しやすくなる。また表示器がオペレータ用表示器１３とオペレータ用表示器８７の複数ある為、表示条件２に、あるカテゴリーの商品はオペレータ用表示器１３に割り付け、その他の商品はオペレータ用表示器８７に割り付けるといった条件を保管しても良い。またこれらは第１および第２の実施形態同様に一つの表示器に全ての商品の割り付けを行なっても良く、オペレータ用表示器８７に全ての商品の割り付けを行なっても良い。
【００６２】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【００６３】
１０・・ＰＯＳ端末
１３・・オペレータ用表示器
１６・・バーコードスキャナ
２０・・サーバ
２２・・商品情報管理部
２４・・表示条件保管部
２５・・オペレータ別表示条件管理部
７１・・購入金額算出部
７２・・商品情報一時保管部
７３・・オペレータ別表示条件一時保管部
１００・・商品販売データ処理システム
【図１】
0006386289.tif 000002
【図２】
0006386289.tif 000003
【図３】
0006386289.tif 000004
【図４】
0006386289.tif 000005
【図５】
0006386289.tif 000006
【図６】
0006386289.tif 000007
【図７】
0006386289.tif 000008
【図８】
0006386289.tif 000009
【図９】
0006386289.tif 000010
【図１０】
0006386289.tif 000011
【図１１】
0006386289.tif 000012
【図１２】
0006386289.tif 000013
【図１３】
0006386289.tif 000014
【図１４】
0006386289.tif 000015
【図１５】
0006386289.tif 000016
【図１６】
0006386289.tif 000017